(57)【要約】【課題】  GPS受信部をもつ撮像装置において、電気的接続が容易で、撮像装置の通常使用時に、受信感度が高く、更に人体による影響、及び他の電気ノイズを放射する電気部品からのノイズの影響の小さい箇所に受信部を配置し、高い確率でGPSから位置、時間情報を取得することが可能な撮像装置を提供することを目的とする。【解決手段】  撮像部と、前記撮像部で撮影した画像を記録する記録部と把持部とズームキーを持つ撮像装置において、前記ズームキーを中心として、把持部と反対側にGPS受信部を持つことを特徴としている。  また、この撮像装置において、前記GPS受信部がズームキーにより操作される素子と同じ基板上に配置している。  撮像部と、前記撮像部で撮影した画像を記録する記録部と把持部と静止画撮影ボタンを持つ撮像装置において、前記静止画撮影ボタンを中心として、把持部と反対側にGPS受信部を持つことを特徴としている。【選択図】  図５
2011071739.tif 000002
【特許請求の範囲】
【請求項１】
撮像部と、把持部と操作部を持つ撮像装置において、前記操作部は前記撮像装置の上部に配置され、前記操作部を中心として、前記把持部と反対側にGPS受信部を持つことを特徴とした撮像装置。
【請求項２】
前記操作部は、基板上に実装された素子を操作し、前記GPS受信部が前記素子が実装された前記基板上に実装されたことを特徴とする、請求項１に記載の撮像装置。
【請求項３】
撮像部と、把持部とズームキーを持つ撮像装置において、前記ズームキーは前記撮像装置の上部に配置され、前記ズームキーを中心として、前記把持部と反対側にGPS受信部を持つことを特徴とした撮像装置。
【請求項４】
前記ズームキーは、基板上に実装された素子を操作し、前記GPS受信部が前記素子が実装された前記基板上に実装されたことを特徴とする、請求項3に記載の撮像装置。
【請求項５】
撮像部と、把持部と静止画撮影ボタンを持つ撮像装置において、前記静止画撮影ボタンは前記撮像装置の上部に配置され、前記静止画撮影ボタンを中心として、前記把持部と反対側にGPS受信部を持つことを特徴とした撮像装置。
【請求項６】
前記静止画撮影ボタンは、基板上に実装された素子を操作し、前記GPS受信部が前記素子が実装された前記基板上に実装されたことを特徴とする、請求項5に記載の撮像装置。
【発明の詳細な説明】
【技術分野】
【０００１】
本発明はGPSを搭載して、受信した測位情報から撮影者及び被写体の位置情報を算出して、利用するための撮像装置に関するものである。
【背景技術】
【０００２】
近年、撮像装置にGPS（Global Positioning System ）受信部を接続して、受信した測位情報をその撮像装置に送り、その情報から撮影者及び被写体の位置情報を記録媒体に記録して、利用できる技術がある。
【０００３】
上記撮像装置において、GPS受信部は、受信性能を確保する為に、天空に向ける必要がある。また、電波を遮蔽しやすいものに、受信部を遮られると、著しく受信性能が低下する。そのため、撮像装置の通常使用時に、上側に受信部を配置するのが望ましい。
【０００４】
一方、撮像装置の小型化は年々、進んでいる。小型化した撮像装置においては、上部に配置できるスペースが限られる。さらに、撮像装置を使用者が把持した状態では、GPS受信部の周辺を人の手が握りこんでしまうことが考えられる。 GPS受信部は、人体が近接すると、人体からのノイズの影響によって、受信精度が低下する。そのため、小型の撮像装置において、受信部を人の手に覆われたような状態では、人体からのノイズで、受信精度が低下し、位置情報を取得できないこともある。
【０００５】
GPSを撮像装置の上部に配置する提案としては、撮像装置のショルダーベルトの肩当にGPS受信部を配置したものがある。（特開2001-228527）この方法では、通常使用時に、GPS受信部が天空を向き、人体の影響も受けることは少ない。しかし、この方法では、ショルダーベルトを外すと使えない。フレキシブルなショルダーベルトの肩当まで、電気的接続をとるのが非常に困難である。といった問題があった。
【先行技術文献】
【特許文献】
【０００６】
【特許文献１】特開2001-228527号公報
【発明の概要】
【発明が解決しようとする課題】
【０００７】
本発明では、GPS受信部をもつ撮像装置において、電気的接続が容易で、撮像装置の通常使用時に、受信感度が高く、更に人体による影響、及び他の電気ノイズを放射する電気部品からのノイズの影響の小さい箇所に受信部を配置し、高い確率でGPSから位置、時間情報を取得することが可能な撮像装置を提供することを目的とする。
【課題を解決するための手段】
【０００８】
本発明は、撮像部と、把持部と操作部を持つ撮像装置において、使用頻度の高い操作部が撮像装置の上部に配置されていて、その操作部を中心として、把持部と反対側にGPS受信部を配置することを特徴としている。また、操作部は、基板上に実装された素子を操作し、GPS受信部を素子が実装された基板上に実装することを特徴とする。
【０００９】
本発明は、撮像部と、把持部とズームキーを持つ撮像装置において、ズームキーが撮像装置の上部に配置されていて、そのズームキーを中心として、把持部と反対側にGPS受信部を配置することを特徴としている。また、ズームキーは、基板上に実装されたスイッチを操作し、GPS受信部をスイッチが実装された基板上に実装することを特徴とする。
【００１０】
本発明は、撮像部と、把持部と静止画撮影ボタンを持つ撮像装置において、静止画撮影ボタンが撮像装置の上部に配置されていて、その静止画撮影ボタンを中心として、把持部と反対側にGPS受信部を配置することを特徴としている。また、静止画撮影ボタンは、基板上に実装されたスイッチを操作し、GPS受信部をスイッチが実装された基板上に実装することを特徴とする。
【発明の効果】
【００１１】
以上説明したように、本発明は、撮像部と、把持部と操作部を持つ撮像装置において、使用頻度の高い操作部が撮像装置の上部に配置されていて、その操作部を中心として、把持部と反対側にGPS受信部を配置することによって、撮像装置の通常使用時に、撮像装置上側の人体からの電気ノイズの影響を減ずることができる。また、操作部は、基板上に実装された素子を操作し、GPS受信部を素子が実装された基板上に実装することによって、GPS受信部実装用の基板を新たに設けることなく、容易に電気的接続が可能となる。
【００１２】
本発明は、撮像部と、把持部とズームキーを持つ撮像装置において、ズームキーが撮像装置の上部に配置されていて、そのズームキーを中心として、把持部と反対側にGPS受信部を配置することにより、撮像装置の通常使用時に、撮像装置上側の人体からの電気ノイズの影響を減ずることができる。また、ズームキーは、基板上に実装されたスイッチを操作し、GPS受信部をスイッチが実装された基板上に実装することにより、GPS受信部実装用の基板を新たに設けることなく、容易に電気的接続が可能となる。
【００１３】
本発明は、撮像部と、把持部と静止画撮影ボタンを持つ撮像装置において、静止画撮影ボタンが撮像装置の上部に配置されていて、その静止画撮影ボタンを中心として、把持部と反対側にGPS受信部を配置することによって、撮像装置の通常使用時に、撮像装置上側の人体及び撮像装置内の他の電気ノイズ元からの電気ノイズの影響を減ずることができる。また、静止画撮影ボタンは、基板上に実装されたスイッチを操作し、GPS受信部をスイッチが実装された基板上に実装することにより、GPS受信部実装用の基板を新たに設けることなく、容易に電気的接続が可能となる。
【図面の簡単な説明】
【００１４】
【図１】実施例１の撮像装置の構成を示すブロック図。
【図２】実施例１の撮像装置の後方（撮影者側）左側から見た外観斜視図。
【図３】実施例１の撮像装置の表示部が開いた状態で、後方（撮影者側）左側から見た外観斜視図。
【図４】実施例１の撮像装置でGPS受信部の配置された基板の概略図。
【図５】実施例１の撮像装置でのGPS受信部の配置と把持した様子の概略図。
【図６】実施例２のカメラの構成を示すブロック図。
【図７】実施例２のカメラの前方（被撮影者側）から見た外観斜視図。
【図８】実施例２のカメラの後方（撮影者側）から見た外観斜視図。
【図９】実施例２のカメラでのGPS受信部の配置された基板の概略図。
【図１０】実施例２のカメラでのGPS受信部の配置と把持した様子の概略図。
【発明を実施するための形態】
【００１５】
（実施例１）
以下、本発明の第１の実施形態について図面を参照しながら説明する。
【００１６】
図１は、本発明の第１の実施形態におけるビデオカメラの構成を示すブロック図、図２は本発明の第１の実施形態におけるビデオカメラの表示部が閉じた状態で、後方（撮影者側）左側から見た外観斜視図、図３は同ビデオカメラの表示部が開いた状態で、後方（撮影者側）左側から見た外観斜視図である。
【００１７】
ビデオカメラ本体100は、図１に示すように、フォーカス及びズーム等の光学制御系を含む光学レンズ群及び絞りからなるレンズ101、CCDなどの撮像素子を含む撮像部102、カメラ信号処理部103、圧縮伸張処理部104、表示部105、記録再生処理部106、カード制御部107、大容量内部メモリ制御部108、マイクロフォン109、音声信号処理部110、メモリ111、メモリ制御部112、CPU113、操作部114、デジタルI/F115、入出力部116、GPS受信部124、GPS信号処理部125、電源制御部117を備えている。
【００１８】
また、各機能ブロックはそれぞれデータバス118を介して互いにデータ通信可能に接続されている。
【００１９】
このようなビデオカメラ本体100において、メモリ111は、プログラム記憶領域とデータ作業領域を有し、データバス118を介して各機能ブロックでタイム・シェアリングして使用され、メモリ制御部112により制御及び管理されている。
【００２０】
CPU113は所定のプログラムを実行すること等により、ビデオカメラ本体100全体を統括制御する中央演算処理回路である。
【００２１】
操作部114は、図2及び図3の114a、114b、114c、114d、114e、114f、114g、114h、114i、114j、114k、114l、114m等の操作キーなどを有し、ユーザーからのキー操作などに基づいて、CPU113に対して動作指示する機能を有する。
【００２２】
ここで、各操作キーの機能について、図２及び図３を用いて説明する。
【００２３】
114a、114b、114c、114dは再生操作ボタンであり、114aは巻き戻しボタン、114bは早送りボタン、114cは再生/一時停止ボタン、114dは停止ボタンである。
【００２４】
114eはレンズの画角をワイド側又はテレ側に変化させるズーム操作を行うためのズームキー、114fは静止画の記録を行う静止画撮影ボタンであり、半押しと全押し操作が可能な2段階スイッチである。
【００２５】
114gはメニュー表示のON/OFFの切替え等を行うメニューボタン、114hはメニューの選択・決定等を行う十字キー、114iは撮影時にホワイトバランスの設定を行うホワイトバランス設定ボタン、114jは撮影時に露出を設定する露出設定ボタンである。
【００２６】
114kは電源ダイヤルであり、回転動作することで電源オフ、撮影モード、再生モードを切り替えることが可能である。
【００２７】
114lは動画撮影ボタンであり、押圧動作することで、動画撮影のスタート/ストップを行うことが可能である。
【００２８】
114mは記録媒体切替えボタンであり、画像を記録する記録媒体を選択することが可能である。
【００２９】
デジタルI/F115は、例えばIEEE1394やUSB等の規格に従い信号を授受する。
【００３０】
メモリーカード119は、SDカードやコンパクトフラッシュ（登録商標）等の脱着式のフラッシュメモリーであり、撮影データ及び音声データが記録される。
【００３１】
電源制御部117は、バッテリ検出回路、DC-DCコンバータ、通電するブロックを切り替えるスイッチ回路等により構成されており、電池の装着の有無、電池の種類、電池残量の検出を行う。バッテリ123は、リチウムイオン電池等であり、ビデオカメラ本体100に電源を供給する。
【００３２】
GPS受信部124は、GPS衛星から位置と時間のデータを取得する。このデータは、GPS信号処理部125にて処理され、GPS受信部124の位置やその位置における時刻を算出する。この撮像装置では、算出した位置情報や時刻情報を画像データとともに大容量内部メモリ120またはメモリーカード119に書き込む。再生時には、この位置情報や時刻情報を参照することができ、データや記憶の整理に利用できる。
【００３３】
次に、本発明の第１の実施形態におけるビデオカメラの撮影動作及び記録動作、再生動作について説明する。
【００３４】
例えば、操作部114により撮影動作及び記録動作が指示された場合、被写体からの光は、レンズ101により所定の明るさ、画角、及びフォーカス等が制御された光学信号となって撮像部102に対して入力される。撮像部102は入力光学信号を電気信号に変換し、カメラ信号処理部103に出力する。カメラ信号処理部103はこの電気信号をデジタル画像信号に変換する。そして、この画像信号に対して、色分離、階調補正、及びホワイトバランス調整などの信号処理を施した後出力する。音声信号処理部110は、マイクロフォン109より入力された音声信号を所定レベルにゲインコントロールしてデジタル化することで、音声データとして出力する。
【００３５】
圧縮伸張処理部104は、カメラ信号処理部103から出力された画像データ及び音声信号処理部110から出力された音声データを所定の圧縮符号化方式により圧縮符号化する。表示部105は、図２及び図3に示す液晶表示部105aとEVF105bにより構成され、圧縮伸張処理部104で圧縮符号化対象の撮影データを表示する。また、表示部105は、必要に応じてビデオカメラ本体100の動作状況をオンスクリーン・ディスプレイ情報として表示する。
【００３６】
記録再生処理部106は、圧縮伸張処理部104で得られた圧縮符号化後のデータに対して、エラー訂正符号化処理や変調処理等を施し、更に同期、ID、GPS受信部124及びGPS信号処理部125から算出した位置情報や時刻情報などのデータを付加して記録に適した形態に変換した後、大容量内部メモリ120あるいはメモリーカード119等の記録媒体に記録する。この際、大容量内部メモリ制御部108は大容量内部メモリ120の記録制御を、カード制御部107はメモリーカード119の記録制御をおこなう。
【００３７】
一方、操作部114により再生動作が指示された場合、記録再生処理部106は、大容量内部メモリ120またはメモリーカード119から読み出したデータから元のデジタルデータを検出し、エラー訂正及び復調等の処理を施す。また、PLL回路によりこの再生データに同期したクロックを生成する。
【００３８】
圧縮伸張処理部104は、記録再生処理部106より出力されたデータに対して、所定の圧縮符号化方式に対応した伸張処理を施し、圧縮符号化前の撮影データ及び音声データを取得する。表示部105は、圧縮伸張処理部104で得られた再生データを表示する。
【００３９】
また操作部114によりデジタルI/F115からの入力データを記録する指示があった場合、CPU113はデジタルI/F115により、外部装置121からの画像データあるいは音声データをデジタル信号の状態で入力し、記録再生処理部106に送る。この際、外部装置121からの画像データ、音声データは既に符号化されているものとし、記録再生処理部106は前述のようにこの入力データに対して記録に必要な処理を施して大容量内部メモリ120やメモリーカード119などの記録媒体に記録する。
【００４０】
また操作部114により、入出力部116からの入力信号を記録する指示があった場合、CPU113は入出力部116を制御し、外部装置122から出力された画像、音声信号を入力する。入出力部116は外部装置122から出力された画像、音声信号をデジタルデータに変換してメモリ111に出力する。CPU113はこのメモリ111に記憶された画像、音声データを圧縮伸張処理部104に出力して圧縮符号化し、記録再生処理部106に送る。記録再生処理部106は前述の様にこの符号化されたデータに対して記録に必要な処理を施して大容量内部メモリ120やメモリーカード119などの記録媒体に記録する。
【００４１】
GPS受信部124は、図４に示すように、フレキシブル基板401aに実装されている。フレキシブル基板401aは、それ自体では、柔らかく、ビデオカメラ本体100に取り付けるのには不向きであるため、裏面に補強版401bを取り付けることによって、補強されている。このフレキシブル基板401aには、GPS受信部124だけでなく、ズームキー114eによって操作されるスライドスイッチ402や、静止画撮影ボタン114fによって操作される2段階スイッチ403、記録媒体切替えボタン114mによって操作されるスイッチ404も実装されている。このフレキシブル基板401aは、コネクタ接続部を持ち、CPU113をもつメイン基板のコネクタに接続されている。このように、隣接する操作部の電気部品の取り付けられているフレキシブル基板上に、GPS受信部124を配置することが可能になり、新たに、GPS受信部124取り付け用の基板を用意することなく、容易に電気的接続を確保することができる。
【００４２】
フレキシブル基板401aは撮像装置本体100内では、図５に示すような位置に配置されている。GPS受信部124は、撮像装置を把持する場合に、ズームキーに関して、逆側の製品上部に天空に向け配置されている。本体上部にあるため、電波を遮蔽しやす部品が、GPS受信部124の上部になく、GPS情報獲得に十分な受信性能が確保できる。このような撮像装置においては、使用者は使用時に、図５に示すように、ズームキーに指を添えることが多い。そのため、GPSの上部に使用者の手のかからない空間が確保できる。これにより、人体からのノイズの影響を低減でき、ノイズによる受信性能の低下を回避することができる。
【００４３】
本発明は、ズームキーに限ることはない。例えば、フォーカス調整ボタンやトリガーボタン、静止画撮影ボタンなどが考えられる。
【００４４】
（実施例２）
以下、本発明の第２の実施形態について図面を参照しながら説明する。
【００４５】
図６は、本発明の第２の実施形態におけるカメラの構成を示すブロック図、図７は本発明の第２の実施形態におけるカメラの、前方（被撮影者側）から見た外観斜視図である。図８は本発明の第２の実施形態におけるカメラの、後方方（撮影者側）から見た外観斜視図である。
【００４６】
カメラ本体600は、図６に示すように、フォーカス及びズーム等の光学制御系を含む光学レンズ群及び絞りからなるレンズ601、CCDなどの撮像素子を含む撮像部602、カメラ信号処理部603、圧縮伸張処理部604、表示部605、記録再生処理部606、カード制御部607、大容量内部メモリ制御部608、マイクロフォン609、音声信号処理部610、メモリ611、メモリ制御部612、CPU613、操作部614、デジタルI/F615、入出力部616、GPS受信部624、GPS信号処理部625、電源制御部617を備えている。
【００４７】
また、各機能ブロックはそれぞれデータバス618を介して互いにデータ通信可能に接続されている。
【００４８】
このようなカメラ本体600において、メモリ611は、プログラム記憶領域とデータ作業領域を有し、データバス618を介して各機能ブロックでタイム・シェアリングして使用され、メモリ制御部612により制御及び管理されている。
【００４９】
CPU613は所定のプログラムを実行すること等により、カメラ本体600全体を統括制御する中央演算処理回路である。
【００５０】
操作部614は、図７及び図８の614a、614b、614c、614d、614e等の操作キーなどを有し、ユーザーからのキー操作などに基づいて、CPU613に対して動作指示する機能を有する。
【００５１】
ここで、各操作キーの機能について、図７及び図８を用いて説明する。
【００５２】
614aは静止画の記録を行う静止画撮影ボタンであり、半押しと全押し操作が可能な2段階スイッチである。
【００５３】
614bはメニュー表示のON/OFFの切替え等を行うメニューボタン、614cはメニューの選択等を行う四方向キー、614dはメニューの決定等を行うボタンである。
【００５４】
614eは電源・モードスイッチであり、スライド動作することで電源オフ、静止画撮影モード、動画撮影モード、再生モードを切り替えることが可能である。
【００５５】
デジタルI/F615は、例えばIEEE1394やUSB等の規格に従い信号を授受する。
【００５６】
メモリーカード619は、SDカードやコンパクトフラッシュ（登録商標）等の脱着式のフラッシュメモリーであり、撮影データ及び音声データが記録される。
【００５７】
電源制御部617は、バッテリ検出回路、DC-DCコンバータ、通電するブロックを切り替えるスイッチ回路等により構成されており、電池の装着の有無、電池の種類、電池残量の検出を行う。バッテリ623は、リチウムイオン電池等であり、カメラ本体600に電源を供給する。
【００５８】
GPS受信部624は、GPS衛星から位置と時間のデータを取得する。このデータは、GPS信号処理部625にて処理され、GPS受信部624の位置やその位置における時刻を算出する。この撮像装置では、算出した位置情報や時刻情報を画像データとともに大容量内部メモリ620またはメモリーカード619に書き込む。再生時には、この位置情報や時刻情報を参照することができ、データや記憶の整理に利用できる。
【００５９】
次に、本発明の第２の実施形態におけるカメラの撮影動作及び記録動作、再生動作について説明する。
【００６０】
例えば、操作部614により撮影動作及び記録動作が指示された場合、被写体からの光は、レンズ601により所定の明るさ、画角、及びフォーカス等が制御された光学信号となって撮像部602に対して入力される。撮像部602は入力光学信号を電気信号に変換し、カメラ信号処理部603に出力する。カメラ信号処理部603はこの電気信号をデジタル画像信号に変換する。そして、この画像信号に対して、色分離、階調補正、及びホワイトバランス調整などの信号処理を施した後出力する。音声入力のある場合は、音声信号処理部610が、マイクロフォン609より入力された音声信号を所定レベルにゲインコントロールしてデジタル化することで、音声データとして出力する。
【００６１】
圧縮伸張処理部604は、カメラ信号処理部603から出力された画像データ及び音声信号処理部610から出力された音声データを所定の圧縮符号化方式により圧縮符号化する。表示部605は、図７及び図８に示す液晶表示部605aとEVF605bにより構成され、圧縮伸張処理部604で圧縮符号化対象の撮影データを表示する。また、表示部605は、必要に応じてカメラ本体600の動作状況をオンスクリーン・ディスプレイ情報として表示する。
【００６２】
記録再生処理部606は、圧縮伸張処理部604で得られた圧縮符号化後のデータに対して、エラー訂正符号化処理や変調処理等を施し、更に同期、ID、GPS受信部624及びGPS信号処理部625から算出した位置情報や時刻情報などのデータを付加して記録に適した形態に変換した後、大容量内部メモリ620あるいはメモリーカード619等の記録媒体に記録する。この際、大容量内部メモリ制御部608は大容量内部メモリ620の記録制御を、カード制御部607はメモリーカード619の記録制御をおこなう。
【００６３】
一方、操作部614により再生動作が指示された場合、記録再生処理部606は、大容量内部メモリ620またはメモリーカード619から読み出したデータから元のデジタルデータを検出し、エラー訂正及び復調等の処理を施す。また、PLL回路によりこの再生データに同期したクロックを生成する。
【００６４】
圧縮伸張処理部604は、記録再生処理部606より出力されたデータに対して、所定の圧縮符号化方式に対応した伸張処理を施し、圧縮符号化前の撮影データ及び音声データを取得する。表示部605は、圧縮伸張処理部604で得られた再生データを表示する。
【００６５】
また操作部614によりデジタルI/F615からの入力データを記録する指示があった場合、CPU613はデジタルI/F615により、外部装置621からの画像データあるいは音声データをデジタル信号の状態で入力し、記録再生処理部606に送る。この際、外部装置621からの画像データ、音声データは既に符号化されているものとし、記録再生処理部606は前述のようにこの入力データに対して記録に必要な処理を施して大容量内部メモリ620やメモリーカード619などの記録媒体に記録する。
【００６６】
また操作部614により、入出力部616からの入力信号を記録する指示があった場合、CPU613は入出力部616を制御し、外部装置622から出力された画像、音声信号を入力する。入出力部616は外部装置622から出力された画像、音声信号をデジタルデータに変換してメモリ611に出力する。CPU613はこのメモリ611に記憶された画像、音声データを圧縮伸張処理部604に出力して圧縮符号化し、記録再生処理部606に送る。記録再生処理部606は前述の様にこの符号化されたデータに対して記録に必要な処理を施して大容量内部メモリ620やメモリーカード619などの記録媒体に記録する。
【００６７】
GPS受信部624は、図９に示すように、基板901に取り付けられている。この基板901には、GPS受信部624だけでなく、静止画撮影ボタン614aによって操作される２段階スイッチ902や、電源・モードスイッチ614eによって操作されるスライドスイッチ903、基板901と他の基板を接続するフレキシブル基板を差し込むコネクタ904も実装されている。
【００６８】
このように、隣接する操作部の電気部品の取り付けられている基板上に、GPS受信部624を配置することが可能になり、新たに、GPS受信部624取り付け用の基板を用意することなく、容易に電気的接続を確保することができる。
【００６９】
基板901は撮像装置本体600内では、図１０に示すような位置に配置されている。GPS受信部624は、撮像装置を把持する場合に、静止画撮影ボタン614a関して、逆側の製品上部に天空に向け配置されている。本体上部にあるため、電波を遮蔽しやす部品が、GPS受信部624の上部になく、GPS情報獲得に十分な受信性能が確保できる。このような撮像装置においては、使用者は使用時に、図１０に示すように、静止画撮影ボタン614aに指を添えることが多い。そのため、GPSの上部に使用者の手のかからない空間が確保できる。これにより、人体からのノイズの影響を低減でき、ノイズによる受信性能の低下を回避することができる。
【００７０】
本発明は、静止画撮影ボタンに限ることはない。例えば、フォーカス調整ボタンや静止画撮影ボタンなどが考えられる。
【符号の説明】
【００７１】
100  ビデオカメラ本体
101  レンズ
102  撮像部
103  カメラ信号処理部
104  圧縮伸張処理部
105  表示部
106  記録再生処理部
107  カード制御部
108  大容量内部メモリ制御部
109  マイクロフォン
110  音声信号処理部
111  メモリ
112  メモリ制御部
113  CPU
114  操作部
115  デジタルI/F
116  入出力部
117  電源制御部
118  データバス
119  メモリーカード
120  大容量内部メモリ
121  外部装置
122  外部装置
123  バッテリ
124  GPS受信部
401a  フレキシブル基板
401b  フレキシブル基板の補強板
402  スライドスイッチ
403  ２段階スイッチ
404  スイッチ
600  ビデオカメラ本体
601  レンズ
602  撮像部
603  カメラ信号処理部
604  圧縮伸張処理部
605  表示部
606  記録再生処理部
607  カード制御部
608  大容量内部メモリ制御部
609  マイクロフォン
610  音声信号処理部
611  メモリ
612  メモリ制御部
613  CPU
614  操作部
615  デジタルI/F
616  入出力部
617  電源制御部
618  データバス
619  メモリーカード
620  大容量内部メモリ
621  外部装置
622  外部装置
623  バッテリ
624  GPS受信部
625  GPS信号処理部
901  基板
902  ２段階スイッチ
903  スライドスイッチ
904  コネクタ
【図１】
2011071739.tif 000003
【図２】
2011071739.tif 000004
【図３】
2011071739.tif 000005
【図４】
2011071739.tif 000006
【図５】
2011071739.tif 000007
【図６】
2011071739.tif 000008
【図７】
2011071739.tif 000009
【図８】
2011071739.tif 000010
【図９】
2011071739.tif 000011
【図１０】
2011071739.tif 000012